(57)【要約】【課題】スペース効率よく収納可能で、かつ良好な伝送特性を確保して、電子機器の大型化を抑制することができる電気配線を提供する。【解決手段】電気配線は、第１の整線群２０４及び第２の整線群２０５には、第１のプラグコネクタ２０１に近い側に第１の折り畳み領域２１０が設けられ、第１の整線群２０４の一方の面を第１の面３０１とし、第１の面３０１の裏面を第２の面３０２とし、第２の整線群２０５の一方の面を第３の面３０３とし、第３の面３０３の裏面を第４の面３０４とした場合、第１の折り畳み領域２１０において、第１の整線群２０４は、第１の面３０１同士が接するように角度をもって折り畳まれ、第２の整線群２０５は、第４の面３０４同士が接するように角度をもって折り畳まれて、第１の整線群２０４の第２の面３０２と第２の整線群２０５の第３の面３０３とが接するように重畳され、重畳状態で、第１の整線群２０４と第２の整線群２０５との折り畳み位置が重ならないように配置されている。【選択図】図４
2018014674.tif 000002
【特許請求の範囲】
【請求項１】
一方の端部に第１の基板に電気的に接続される第１のプラグコネクタが設けられ、他方の端部に第２の基板に電気的に接続される第２のプラグコネクタが設けられる電気配線であって、
前記第１のプラグコネクタ及び前記第２のプラグコネクタにそれぞれ設けられた複数のピンのうち、１ピン目から所定の数のピン目までの間のピンを互いに接続する第１の整線群と、
前記第１のプラグコネクタ及び前記第２のプラグコネクタにそれぞれ設けられた複数のピンのうち、前記第１の整線群で接続されるピン以外のピンの間を互いに接続する第２の整線群と、を備え、
前記第１の整線群、及び前記第２の整線群は、それぞれ絶縁体に挟まれて平面的に整線された複数本のケーブルで構成され、
前記第１の整線群、及び第２の整線群には、前記第１のプラグコネクタに近い側に第１の折り畳み領域が設けられ、
前記第１の整線群の一方の面を第１の面とし、前記第１の面の裏面を第２の面とし、前記第２の整線群の前記第１の面と同じ方向を向く一方の面を第３の面とし、前記第３の面の裏面を第４の面とした場合、
前記第１の整線群は、前記第１の折り畳み領域で前記第１の面が互いに向き合って接するように角度をもって折り畳まれ、前記第２の整線群は、前記第１の折り畳み領域で前記第４の面が互いに向き合って接するように角度をもって折り畳まれて、前記第１の整線群の前記第２の面と前記第２の整線群の前記第３の面とが接するように重畳され、前記重畳された状態で、前記第１の整線群と前記第２の整線群との折り畳み位置が重ならないように配置されていることを特徴とする電気配線。
【請求項２】
前記第１の整線群、及び第２の整線群には、前記第２のプラグコネクタに近い側に第２の折り畳み領域が設けられ、
前記第２の折り畳み領域において、前記第１の整線群は、前記第２の面が互いに向き合って接するように角度をもって折り畳まれ、前記第２の整線群は、前記第３の面が互いに向き合って接するように角度をもって折り畳まれ、
前記第１の整線群、及び前記第２の整線群の前記第２の折り畳み領域で折り畳まれたそれぞれの端部は、互いに平行に並んで配置されて前記第２のプラグコネクタが接続されるとともに、前記第１の整線群の折り畳み部分は、前記第２の整線群で覆われていることを特徴とする請求項１に記載の電気配線。
【請求項３】
前記ケーブルは、細線同軸線であることを特徴とする請求項１又は２に記載の電気配線。
【請求項４】
前記第１の整線群、及び前記第２の整線群の少なくともいずれか一方に、一つのグループを構成する差動データ信号線がすべて含まれていることを特徴とする請求項１乃至３のいずれか一項に記載の電気配線。
【請求項５】
差動クロック信号線を前記一つのグループを構成する差動データ信号線と同じ整線群に割り当てる場合、前記差動データ信号線、及び前記差動クロック信号線を割り当てる前記整線群の前記ケーブルの線長の略中心値となる位置に前記差動クロック信号線を割り当てることを特徴とする請求項４に記載の電気配線。
【請求項６】
前記第１の整線群と前記第２の整線群とが重畳された状態で、前記第１の整線群、及び前記第２の整線群の幅方向に両側で対角の配置となるようにグランド信号線が割り当てられていることを特徴とする請求項４又は５に記載の電気配線。
【請求項７】
前記一つのグループを構成する差動データ信号線のうち、配線長が短い方の差動データ信号線が前記第１の基板に実装されて前記第１のプラグコネクタが嵌合により接続される第１のリセコネクタの前記ケーブルの引き出し方向の前側のピンに接続されていることを特徴とする請求項４乃至６のいずれか一項に記載の電気配線。
【請求項８】
前記第１の整線群、及び前記第２の整線群は、共に曲率半径を略等しくする円弧状部を有して湾曲形成されていることを特徴とする請求項１乃至７のいずれか一項に記載の電気配線。
【請求項９】
請求項１乃至８のいずれか一項に記載の電気配線を備える電子機器。
【請求項１０】
リードレスタイプの撮像素子を搭載した電子機器であって、
請求項１乃至８のいずれか一項に記載の電気配線を備え、前記撮像素子が実装される基板が前記電気配線の前記第１の基板により構成されていることを特徴とする電子機器。
【発明の詳細な説明】
【技術分野】
【０００１】
本発明は、デジタルカメラ等の撮像装置を含む電子機器の基板間を電気的に接続するワイヤハーネス等の電気配線、及び電気配線によって基板間が電気的に接続される電子機器に関する。
【背景技術】
【０００２】
デジタルカメラ等の電子機器では、ＣＭＯＳセンサ等の撮像素子の高性能化、高画素化に伴い撮像素子から出力される信号数も増加している。
【０００３】
よって、撮像素子の多ピン化や配置可能リード数の限界等によりＳＯＰ（SmallOutlinePackage）やＱＦＰ（QuadFlatPackage）から多ピン配置が可能なリードレスのＬＣＣ（LeadlessChipCarrier）やＬＧＡ（LandGridArray）タイプが主流となりつつある。
【０００４】
しかし、ＬＣＣやＬＧＡタイプは、多ピン化が可能であるが、ＳＯＰやＱＦＰのようにリードの高さを利用して撮像素子の下にメカ部品や電気素子などを配置／実装することが不可能であり、ＬＣＣやＬＧＡの実装範囲は専有領域となってしまう。
【０００５】
このため、撮像素子に付随する電気素子や関連メカ部品等は、撮像素子の外形より外側に配置しなければならない。この場合、撮像素子を含むユニットの大型化を回避するため、撮像素子の信号を他の基板へ伝達するワイヤハーネスは、カメラ内の限定された空間に他部品との干渉すること無く、且つ伝送特性を劣化させること無く這い回す必要がある。
【０００６】
従来、複数本のケーブルを束ねたワイヤハーネスにおいて、ワイヤハーネスの所定位置のケーブルを平面状に整列させた平坦部を設けることで撮像装置の大型化を抑制する技術が提案されている（特許文献１）。
【先行技術文献】
【特許文献】
【０００７】
【特許文献１】特許第５５２８０２３号公報
【発明の概要】
【発明が解決しようとする課題】
【０００８】
しかし、上記特許文献１では、ワイヤハーネスを這い回せる空間がケーブルを平面的に並べた際のケーブル線径×ケーブル本数以下しか確保できない場合、ケーブルを平面的に整列させた平坦部を設けただけでは、ワイヤハーネスが他部品と干渉してしまう。また、カメラ内の限定された空間内にワイヤハーネスを無理に押し込んで収納しようとすると、他部品との干渉によるケーブルの噛み込みや断線などが発生する原因になる。
【０００９】
そこで、本発明は、スペース効率よく収納可能で、かつ良好な伝送特性を確保して、電子機器の大型化を抑制することができる電気配線及び当該電気配線によって基板間が電気的に接続された電子機器を提供することを目的とする。
【課題を解決するための手段】
【００１０】
上記目的を達成するために、本発明は、一方の端部に第１の基板に電気的に接続される第１のプラグコネクタが設けられ、他方の端部に第２の基板に電気的に接続される第２のプラグコネクタが設けられる電気配線であって、前記第１のプラグコネクタ及び前記第２のプラグコネクタにそれぞれ設けられた複数のピンのうち、１ピン目から所定の数のピン目までの間のピンを互いに接続する第１の整線群と、前記第１のプラグコネクタ及び前記第２のプラグコネクタにそれぞれ設けられた複数のピンのうち、前記第１の整線群で接続されるピン以外のピンの間を互いに接続する第２の整線群と、を備え、前記第１の整線群、及び前記第２の整線群は、それぞれ絶縁体に挟まれて平面的に整線された複数本のケーブルで構成され、前記第１の整線群、及び第２の整線群には、前記第１のプラグコネクタに近い側に第１の折り畳み領域が設けられ、前記第１の整線群の一方の面を第１の面とし、前記第１の面の裏面を第２の面とし、前記第２の整線群の前記第１の面と同じ方向を向く一方の面を第３の面とし、前記第３の面の裏面を第４の面とした場合、前記第１の整線群は、前記第１の折り畳み領域で前記第１の面が互いに向き合って接するように角度をもって折り畳まれ、前記第２の整線群は、前記第１の折り畳み領域で前記第４の面が互いに向き合って接するように角度をもって折り畳まれて、前記第１の整線群の前記第２の面と前記第２の整線群の前記第３の面とが接するように重畳され、前記重畳された状態で、前記第１の整線群と前記第２の整線群との折り畳み位置が重ならないように配置されていることを特徴とする。
【発明の効果】
【００１１】
本発明によれば、スペース効率よく収納可能で、かつ良好な伝送特性を確保して、電子機器の大型化を抑制することができる電気配線及び当該電気配線によって基板間が電気的に接続された電子機器を提供することができる。
【図面の簡単な説明】
【００１２】
【図１】本発明の電子機器の実施形態の一例であるデジタルカメラの主要部分を背面側から見た分解斜視図である。
【図２】（ａ）はワイヤハーネスをカメラの背面側から見た斜視図、（ｂ）は（ａ）に示すワイヤハーネスを裏面側から見た斜視図である。
【図３】（ａ）はワイヤハーネスの折り畳み前の状態をカメラの背面側から見た展開斜視図、（ｂ）は（ａ）に示すワイヤハーネスを裏面側から見た展開斜視図である。
【図４】（ａ）は第１の整線群の展開斜視図、（ｂ）は第１の整線群を（ａ）の状態から第１の折り畳み領域で折り畳んだ状態の斜視図、（ｃ）は、第１の整線群を（ｂ）の状態から第２の折り畳み領域で折り畳んだ状態を示す斜視図である。
【図５】（ａ）は図４（ｃ）に示す折り畳み後の第１の整線群と折り畳み前の第２の整線群の斜視図、（ｂ）は（ａ）の第２の整線群を第１の折り畳み領域で折り畳んだ状態を示す斜視図である。
【図６】（ａ）は第２の整線群を図５（ｂ）の状態から第２の折り畳み領域で折り畳んだ状態を示す斜視図、（ｂ）は第２の整線群を第２の折り畳み領域で折り畳んだ後に第２のプラグコネクタを接続した状態を示す斜視図である。
【図７】図２（ａ）のＡ−Ａ線断面を模式的に示す断面図である。
【図８】ワイヤハーネスにおいて、グランド信号線が割り当てられたケーブルの位置を示す斜視図である。
【図９】ワイヤハーネスの第１の整線群と第２の整線群の線長を第１のプラグコネクタを基準としてピンごとに表したグラフ図である。
【図１０】ワイヤハーネスの変形例を模式的に示す断面図である。
【発明を実施するための形態】
【００１３】
以下、図面を参照して、本発明の実施形態の一例を説明する。
【００１４】
図１は、本発明の電子機器の実施形態の一例であるデジタルカメラの主要部分を背面側から見た分解斜視図である。
【００１５】
本実施形態のデジタルカメラ（以下、カメラという。）１００は、図１に示すように、樹脂やマグネシウム合金などで形成されるミラーボックス１０１を備える。ミラーボックス１０１には、不図示のレンズユニットの基準面となるマウントやレンズユニットからの被写体光束をファインダの方向へ導くメインミラー、フォーカルプレーンシャッタユニット、シーケンス機構などが設けられる。ミラーボックス１０１の上部には、不図示のペンタホルダ、レンズユニットからの被写体光束を結像するフォーカシングスクリーン、フォーカシングスクリーンで結像した被写体像を左右及び上下反転させるペンタダハプリズムが設けられる。
【００１６】
本体シャーシ１０２は、金属板等をインサート成形した樹脂やマグネシウム合金などで形成され、ミラーボックス１０１に不図示の締結部材により締結固定される。第１の基板１０３は、高密度パターニング上に回路素子を両面実装可能とした２層以上の多層プリント基板で構成される。
【００１７】
第１の基板１０３の一次面１０３ａは、最初に部品の実装を行う面であり、一次面１０３ａには、不図示のＡ／Ｄ変換回路、信号処理回路、撮像素子及び信号処理回路などからの信号を伝達するための第１のリセコネクタ（ReceptacleConnectors）１０６などが実装される。第１の基板１０３の一次面１０３ａの裏面である二次面１０３ｂには、一次面１０３ａに第１のリセコネクタ１０６などを実装した後、ＣＭＯＳセンサなどの撮像素子や付随のバイパスコンデンサなどの電気素子が実装される。撮像素子は、リードレスのＬＣＣ（LeadlessChipCarrier）タイプやＬＧＡ（LandGridArray）タイプである。
【００１８】
また、第１の基板１０３には、複数の開口部１０４（図では３箇所）が形成されており、第１の基板１０３の一次面１０３ａから見た場合、開口部１０４からは第１の基板１０３の二次面１０３ｂに実装された撮像素子のランドが露出する。このとき、露出しているランドは、撮像素子内のＧＮＤ回路に接続されていることが望ましい。
【００１９】
保持プレート１０５は、ステンレス系材料やアルミ系材料で形成され、基板１０３の一次面１０３ａ側に配置される。保持プレート１０５は、曲げ加工などで形成された脚部１０５ａ〜１０５ｃを有する。脚部１０５ａ〜１０５ｃは、第１の基板１０３の開口部１０４の数と同数設けられ、開口部１０４から露出する撮像素子のランドに当接し、半田付けなどで撮像素子と固着されている。
【００２０】
保持プレート１０５は、保持プレート１０５に形成された穴とミラーボックス１０１に設けられた柱状のリブなどで位置決めされ、不図示の締結部材でミラーボックス１０１に固定される。これにより、撮像素子などが実装された第１の基板１０３は、保持プレート１０５を介してミラーボックス１０１に固定される。
【００２１】
第２の基板１０７は、第１の基板１０３と同様に、高密度パターニング上に回路素子を両面実装可能とした２層以上の多層プリント基板で構成される。第２の基板１０７は、デジタル系回路基板であり、第２の基板１０７には、画像データの生成や所定の画素補間処理や色変換処理、記録処理を行う不図示のＭＰＵなどが実装される。
【００２２】
また、第２の基板１０７には、第１の基板１０３からの信号を受けるための第２のリセコネクタ１０８が実装されている。第２の基板１０７は、第２の基板１０７に形成した位置決め穴と本体シャーシ１０２から突出した柱状のボスなどで位置決めされ、不図示の締結部材にて本体シャーシ１０２に固定される。このとき、第２の基板１０７は、第１の基板１０３の少なくとも一部を覆い、第２の基板１０７と第１の基板１０３及び保持プレート１０５とは、所定の空間をあけて重畳配置される。
【００２３】
そして、第１の基板１０３に実装された第１のリセコネクタ１０６と第２の基板１０７に実装された第２のリセコネクタ１０８とは、電気配線であるワイヤハーネス２００によって電気的に接続される。
【００２４】
図２（ａ）はワイヤハーネス２００をカメラ１００の背面側から見た斜視図、図２（ｂ）は図２（ａ）に示すワイヤハーネス２００を裏面側から見た斜視図である。
【００２５】
図２に示すように、電気配線であるワイヤハーネス２００は、一方の端部に、第１のリセコネクタ１０６に嵌合接続される第１のプラグコネクタ２０１が設けられ、他方の端部に、第２のプラグコネクタ２０２が設けられている。第２のプラグコネクタ２０２は、ワイヤハーネス２００の第２のプラグコネクタ２０２の近傍を折り返した状態で第２のリセコネクタ１０８に嵌合接続される。本実施形態では、第１及び第２のリセコネクタ１０６，１０８と第１及び第２のプラグコネクタ２０１，２０２との端子数は、いずれも２６ピンとする。
【００２６】
図２（ａ）に示すように、第１のプラグコネクタ２０１の端子の１ピン目２０６から１３ピン目２０７までの各々と、コネクタ端子と同数のケーブル２０３とがコネクタ内部で電気的に導通可能に半田付けや圧着、圧接構造などで接続されている。
【００２７】
ケーブル２０３は、流す信号の特性によって各種電線を選択可能である。例えば、通常の信号であれば一般的な電線が選択可能であり、また、所定のインピーダンス値でコントロールが必要な信号を流す場合は、細線同軸線などが選択可能である。また、用途に応じて一般的な電線と細線同軸線を混在させるような構成としてもよい。
【００２８】
本実施形態のワイヤハーネス２００は、第１の基板１０３に実装された撮像素子からの出力信号を所定のインピーダンス値でコントロールしつつ、画像処理を行う第２の基板１０７に信号を伝送させる。このため、ケーブル２０３は、所定のインピーダンス値でコントロールされた細線同軸線としている。
【００２９】
第１のプラグコネクタ２０１の１ピン目２０６から１３ピン目２０７に接続された１３本のケーブル２０３は、平面的かつ略平行に並んで整線されている。平面的に整線されたケーブル２０３は、可撓性のある絶縁性フィルムや樹脂印刷等の絶縁体で平面方向から挟むように挟持される。これにより、ケーブル２０３の整線状態を維持して、第１の整線群２０４を形成している。同様に、第１のプラグコネクタ２０１の端子の１４ピン目２０８から２６ピン目２０９までの各々と、コネクタ端子と同数のケーブル２０３とがコネクタ内部で電気的に導通可能に半田付けや圧着、圧接構造などで接続されている。
【００３０】
第１の整線群２０４と同様に、第１のプラグコネクタ２０１の１４ピン目２０８から２６ピン目２０９に接続された１３本のケーブル２０３は、平面的、かつ略平行に並んで整線されている。そして、平面的に整線されたケーブル２０３は、可撓性のある絶縁性フィルムや樹脂印刷などの絶縁体で平面方向から挟むように挟持される。これにより、ケーブル２０３の整線状態を維持して、第２の整線群２０５を形成している。即ち、第２の整線群２０５は、第１のプラグコネクタ２０１の２６本の複数のピンのうち、第１の整線群２０４で接続される１ピン目から１３ピン目までのピン以外のピン（１４ピン目から２６ピン目）に接続される。第１の整線群２０４及び第２の整線群２０５は、共に曲率半径を略等しくする円弧状部を有して湾曲形成されている。
【００３１】
第１の整線群２０４及び第２の整線群２０５において、第１のプラグコネクタ２０１が接続された端部の反対側の端部には、第２のプラグコネクタ２０２が第１のプラグコネクタ２０１と同様にして接続されている。このとき、ケーブル２０３によって第１のプラグコネクタ２０１の１ピン目２０６と第２のプラグコネクタ２０２の同位置の端子同士を接続させることが望ましい。また、本実施例では第１の整線群２０４、第２の整線群２０５を構成する端子・ケーブル数は、それぞれ１３ピンずつの同数としているが、回路構成に応じて同数でなくともよい。
【００３２】
前述したように、第１の整線群２０４及び第２の整線群２０５は、共に可撓性のある絶縁性フィルムや樹脂印刷等にてケーブル２０３を挟持しているため、平面的に整線された面方向に屈曲して折り畳むことが可能である。
【００３３】
図２に示すように、第１の整線群２０４は、第１の折り畳み領域２１０で折り畳まれ、第２の整線群２０５は、第２の折り畳み領域２１１で折り畳まれている。これにより、ワイヤハーネス２００の這い回し方向の転換や折り畳み後に重ね合わせることができ、ワイヤハーネス２００の任意の形状へのフォーミングやワイヤハーネス２００の配線部幅を大幅に縮小させることが可能となる。
【００３４】
つまり、ワイヤハーネス２００を這い回せる空間がケーブル２０３の線径×ケーブル本数以下しか確保できない場合であっても、カメラ１００を大型化させること無くワイヤハーネスを這い回すことが可能となる。なお、ワイヤハーネス２００の所望のフォーミング形状などに応じて第１の折り畳み領域２１０及び第２の折り畳み領域２１１の位置は、任意に変更することが可能である。
【００３５】
図３（ａ）はワイヤハーネス２００の折り畳み前の状態をカメラ１００の背面側から見た展開斜視図、図３（ｂ）は図３（ａ）に示すワイヤハーネス２００を裏面側から見た展開斜視図である。
【００３６】
図３において、第１の面３０１は、第１の整線群２０４の平面部であり、第１の面３０１の裏面は、第２の面３０２である。また、第３の面３０３は、第２の整線群２０５の平面部であり、第３の面３０３の裏面は、第４の面３０４である。
【００３７】
次に、図４乃至図６を参照して、ワイヤハーネス２００を図３の展開状態から図２の折り畳み状態にするための方法について説明する。
【００３８】
まず、図４を参照して、第１の整線群２０４  折り畳み方法について説明する。図４（ａ）は第１の整線群２０４の展開斜視図、図４（ｂ）は第１の整線群２０４を図４（ａ）の状態から第１の折り畳み領域２１０で折り畳んだ状態の斜視図である。図４（ｃ）は、第１の整線群２０４を図４（ｂ）の状態から第２の折り畳み領域２１１で折り畳んだ状態を示す斜視図である。
【００３９】
図４（ａ）及び図４（ｂ）に示すように、第１の整線群２０４は、第１の折り畳み領域２１０で第１の面３０１同士が互いに接するように折り畳まれる。その後、第１の整線群２０４は、図４（ｂ）及び図４（ｃ）に示すように、第２の折り畳み領域２１１で第２の面３０２同士が互いに接するように折り畳まれる。本実施形態では、第１の整線群２０４は、第１の折り畳み領域２１０及び第２の折り畳み領域２１１での折り畳み方向の角度は略９０°としているが、フォーミングしたい方向・形状に合わせて折り畳み方向の角度は任意に変更可能である。
【００４０】
次に、図５及び図６を参照して、第２の整線群２０５の折り畳み方法について説明する。図５（ａ）は図４（ｃ）に示す折り畳み後の第１の整線群２０４と折り畳み前の第２の整線群２０５（展開状態）の斜視図、図５（ｂ）は図５（ａ）の第２の整線群２０５を第１の折り畳み領域２１０で折り畳んだ状態を示す斜視図である。図６（ａ）は、第２の整線群２０５を図５（ｂ）の状態から第２の折り畳み領域２１１で折り畳んだ状態を示す斜視図である。
【００４１】
図５（ａ）及び図５（ｂ）に示すように、第２の整線群２０５は、第１の折り畳み領域２１０で第４の面３０４同士が互いに接するように折り畳まれる。次に、第２の整線群２０５は、図５（ｂ）及び図６（ａ）に示すように、第２の折り畳み領域２１１で第３の面３０３同士が互いに接するように折り畳まれる。第２の整線群２０５を第２の折り畳み領域２１１で折り畳んだ後の第１の整線群２０４と第２の整線群２０５は略平行に並ぶように配置されている。
【００４２】
図６（ｂ）は、第２の整線群２０５を第２の折り畳み領域２１１で折り畳んだ後に第２のプラグコネクタ２０２を接続した状態を示す斜視図である。
【００４３】
図６（ｂ）に示すように、第２の整線群２０５を第２の折り畳み領域２１１で折り畳んだ後、略平行に並ぶ第１の整線群２０４及び第２の整線群２０５の端部に第２のプラグコネクタ２０２が接続される。略平行に並ぶ第１の整線群２０４及び第２の整線群２０５の端部に第２のプラグコネクタ２０２を接続することで、第２のプラグコネクタ２０２の接続作業性が容易になる。また、コネクタとケーブル２０３の接続部に不要なテンションが加わることを抑制し、断線の防止が可能となる。
【００４４】
第１の折り畳み領域２１０では、第１の整線群２０４と第２の整線群２０５は、図４（ｃ）及び図６（ａ）に示すように、互いに折り畳み部が重ならないように折り畳み位置をオフセットさせている。さらに、第１の折り畳み領域２１０では、第１の整線群２０４と第２の整線群２０５の折り畳み後では、第１の整線群２０４の第２の面３０２と第２の整線群２０５の第３の面３０３が接するように重畳させている。これにより、第１の整線群２０４と第２の整線群２０５とが互いにの折り畳み部分での復元力を押さえ合うと共に、折り畳み位置をオフセットさせることで、第１の折り畳み領域２１０が厚み方向に厚くなってしまうのを抑制している。
【００４５】
また、第２の折り畳み領域２１１では、第２の整線群２０５が第１の整線群２０４の折り畳み部分を覆い、かつ折り畳み位置は第１の整線群２０４の折り畳み部分と重ならないようにオフセットさせている。これにより、第２の整線群２０５の折り畳み部分の厚みの中に第１の整線群２０４の折り畳み部分の厚みが一部吸収され、第２の折り畳み領域２１１が厚み方向に厚くなってしまうのを抑制している。このため、カメラ１００の厚み方向を大型化させることなく、他部品との干渉などを避けることが可能となる。
【００４６】
次に、図７を参照して、ワイヤハーネス２００の第１の整線群２０４と第２の整線群２０５のケーブル２０３内に流れる信号の好適な割り当て方法について説明する。
【００４７】
図７は、図２（ａ）のＡ−Ａ線断面を模式的に示す断面図である。第１のプラグコネクタ２０１の１ピン目２０６から１３ピン目２０７に接続される１３本のケーブル２０３は、前述したように、平面的、かつ略平行に並んで整線されている。そして、平面的に整線されたケーブル２０３は、可撓性のある絶縁性フィルムや樹脂印刷５０１などで平面方向から挟むように挟持されることで整線状態が維持され、これにより、第１の整線群２０４を形成している。
【００４８】
第１の整線群２０４と同様に、第１のプラグコネクタ２０１の１４ピン目２０８から２６ピン目２０９に接続される１３本のケーブル２０３は、第１の整線群２０４と同様に、平面的、かつ略平行に並んで整線されている。そして、平面的に整線されたケーブル２０３は、可撓性のある絶縁性フィルムや樹脂印刷５０１などで平面方向から挟むように挟持されることで整線が維持され、これにより、第２の整線群２０５を形成している。
【００４９】
第１の整線群２０４と第２の整線群２０５を第１及び第２の折り畳み領域で折り畳んで重畳させる際には、例えば粘着性のテープ５０２などで対向する面を貼り合わせたり、不図示のテープで外周から巻いたりして重畳させる。これにより、カメラ１００内にワイヤハーネス２００を組み込む際に作業性良く組み込むことが可能となる。
【００５０】
次に、第１の整線群２０４及び第２の整線群２０５内の信号の構成について説明する。まず、第１の整線群２０４の信号構成について説明する。図７において、Ｇ５０３，Ｇ５０５は、グランド信号線（ＧＮＤ信号線）であり、Ｓ５０４は、撮像素子を制御・駆動させるための電気信号線である。Ｄ１＋５０６，Ｄ１−５０７は、撮像素子の画像出力データを伝送する信号線であり、プラスとマイナスを１ペアとして所定の差動インピーダンスを構成する差動データ信号線である。Ｃ１＋５０８，Ｃ１−５０９は、Ｄ１＋５０６，Ｄ１−５０７と同様に、プラスとマイナスを１ペアとして所定の差動インピーダンスを構成し、データ取得のタイミングを指示する差動クロック信号線である。
【００５１】
第１の整線群２０４を構成する１３本のケーブル２０３は、第１のプラグコネクタ２０１の１ピン目２０６に接続されるＧ５０３から順に、図７に示すように、種々の信号線が割り当てられている。具体的には、Ｇ５０３から順にＳ５０４、Ｇ５０５、Ｄ１±のデータ信号ペア５０６，５０７、及びＤ２±のデータ信号ペア、Ｃ１±のクロック信号ペア５０８，５０９、Ｄ３±，Ｄ４±の各データ信号ペアの信号線が割り当てられている。
【００５２】
第２の整線群２０５を構成する１３本のケーブル２０３についても、同様に、第１のプラグコネクタ２０１の１４ピン目２０８に接続されるＤ５＋５１０から順に、図７に示すように、種々の信号線が割り当てられている。具体的には、Ｄ５＋５１０から順に、Ｄ５＋５１０とデータ信号ペアを構成するＤ５−５１１、Ｄ６±のデータ信号ペア、Ｃ２±のクロック信号ペア５１２，５１３、Ｄ７±、Ｄ８±の各データ信号ペア、Ｇ５１４〜Ｇ５１６の各種信号線が割り当てられている。
【００５３】
本実施形態では、Ｄ１〜Ｄ４及びＤ５〜Ｄ８のデータ信号ペアにより、それぞれ一つのグループを構成し、Ｄ１〜Ｄ４及びＤ５〜Ｄ８は、それぞれＣ１及びＣ２のクロック信号ペアの所定のクロックでデータ信号の読み出しを行う。
【００５４】
このとき、第１の整線群２０４及び第２の整線群２０５の少なくともいずれか一方に、一つのグループを構成するＤ１〜Ｄ４又はＤ５〜Ｄ８のデータ信号ペアが全て含まれるように割り当てるのが望ましい。本実施形態では、第１の整線群２０４にＤ１〜Ｄ４のデータ信号ペアがすべて含まれ、第２の整線群２０５にＤ５〜Ｄ８のデータ信号ペアがすべて含まれる構成としている。これにより、一つのグループを構成するＤ１〜Ｄ４及びＤ５〜Ｄ８のデータ信号ペアのペア間の物理的な線長に大きな差が生じるのを抑制し、良好な伝送特性を維持することが可能となる。
【００５５】
次に、図７及び図８を参照して、第１の整線群２０４と第２の整線群２０５のグランド信号線の割り当てについて説明する。図８は、ワイヤハーネス２００において、グランド信号線が割り当てられたケーブル２０３の位置を示す斜視図である。
【００５６】
図７に示すように、第１の整線群２０４と第２の整線群２０５を折り畳んで重畳させた際に、Ｇ５０３及びＧ５０５とＧ５１４〜Ｇ５１６は、第１の整線群２０４及び第２の整線群２０５の幅方向両側で対角の配置となるように割り当てている。これにより、図８に示すように、ワイヤハーネス２００の幅方向両側にグランド信号線が割り当てられたケーブル２０３の配置構成となるため、データ信号やクロック信号へのノイズ抑制が可能となる。
【００５７】
次に、図７及び図９を参照して、第１の整線群２０４と第２の整線群２０５のクロック信号ペアの割り当てについて説明する。図９は、ワイヤハーネス２００の第１の整線群２０４と第２の整線群２０５の線長を第１のプラグコネクタ２０１を基準としてピンごとに表したグラフ図である。図９において、横軸はピンＮｏ．、縦軸は線長である。
【００５８】
クロック信号ペアを一つのグループを構成するデータ信号ペアと同じ整線群内に割り当てる場合は、データ信号ペア及びクロック信号ペアを割り当てる各ケーブル２０３の線長の略中心値となる位置にクロック信号ペアを割り当てることが望ましい。
【００５９】
本実施形態においては、第１の整線群２０４では、８ピン目と９ピン目にそれぞれＣ１＋５０８，Ｃ１−５０９を割り当て、第２の整線群２０５では、１８ピン目と１９ピン目にそれぞれＣ２＋５１２、Ｃ２−５１３を割り当てる構成としている。これにより、クロック信号ペアと一つのグループを構成するデータ信号ペアとの間、及びデータ信号ペア間での読み出しタイミングのずれを平準化させることができ、読み出しタイミングのずれによる伝送特性の低下を抑制することが可能となる。
【００６０】
また、第１の整線群２０４と第２の整線群２０５の両端部は、最も強く折れ曲がるため、データの読み出しタイミングを制御するクロック信号ペアを割り当ててしまうと内部誘電体の変形等により伝送特性に変質が生じ、データ取得タイミングに影響が懸念される。このため、クロック信号ペアは、整線群の略中心付近に配置することが望ましい。
【００６１】
また、図９に示すＤ１＋５０６とＤ１−５０７のデータ信号ペアのように、データ信号ペア内であっても線長に差が生じてしまう。
【００６２】
第１の基板１０３に実装されている第１のリセコネクタ１０６（図１参照）やワイヤハーネス２００の第１のプラグコネクタ２０１の嵌合接点部は、コネクタの小型化のために０．３ｍｍピッチや０．２５ｍｍピッチで配列されている場合が多い。第１のリセコネクタ１０６は、嵌合接点部が０．３ｍｍピッチや０．２５ｍｍピッチで配列されていても、第１の基板１０３に実装するための半田ペースト印刷精度や剥離強度を維持する必要がある。このため、第１のリセコネクタ１０６のコネクタ端子の半田付け部などの実装部は、第１のプラグコネクタ２０１からケーブル２０３が引き出される方向の前側と、第１のリセコネクタ１０６の後側へ交互に千鳥配置で振り分けて配列されている。
【００６３】
第１のリセコネクタ１０６の前側の実装部への配線は、第１のリセコネクタ１０６の下を通過させた後、前側の実装部へとビアなどを介して接続されるため、迂回した配線となり、直接配線接続が可能な後側の実装部への配線より配線長が長くなる傾向がある。
【００６４】
このため、データ信号ペア内の配線長が長い方のＤ１＋５０６を第１のリセコネクタ１０６の後側実装部となるピンへ接続されるように割り当て、データ信号ペア内の配線長が短い方のＤ１−５０７を第１のリセコネクタ１０６の前側実装部となるピンへ接続する。これにより、ワイヤハーネス２００ではデータ信号ペア内の線長差があったとしても、システム全体の総配線長としてデータ信号ペア内の線長差を吸収することが可能となり、電気的な応答性低下を抑制することができる。
【００６５】
なお、図１０に示すように、第１の整線群２０４と第２の整線群２０５の幅を細くしてワイヤハーネス２００の更なる小型化が必要な場合は、第３の整線群８０１までケーブル２０３を振り分けることで小型化が可能である。この場合、第１の整線群２０４、第２の整線群２０５、第３の整線群８０１の少なくともいずれか一つに、一つのグループを構成するＤ１〜Ｄ４又はＤ５〜Ｄ８のデータ信号ペアが全て含まれるように割り当てることが望ましい。
【００６６】
図１０では、Ｄ１〜Ｄ４を第１の整線群２０４に割り当て、Ｄ５〜Ｄ８を第３の整線群８０１に割り当て、更にＣ１，Ｃ２のクロック信号ペアを第２の整線群２０５に割り当てている。これにより、データ信号及びクロック信号ペアのペア間の物理的な線長に大きな差が生じるのを抑制し、クロック信号ペアと一つのグループを構成するデータ信号ペア間、及びデータ信号ペア間での読み出しタイミングのずれを平準化させることが可能となる。このため、伝送特性の低下を抑制することができる。
【００６７】
以上説明したように、本実施形態では、リードレスタイプの撮像素子を搭載したカメラ１００であっても、電気配線であるワイヤハーネス２００をスペース効率よく収納することができるので、良好な伝送特性を維持しつつ、カメラ１００の大型化を抑制することができる。
【００６８】
なお、本発明の構成は、上記実施形態に例示したものに限定されるものではなく、材質、形状、寸法、形態、数、配置箇所、組立て順序、組立て方法等は、本発明の要旨を逸脱しない範囲において適宜変更可能である。
【符号の説明】
【００６９】
１０３  第１の基板
１０７  第２の基板
２００  ワイヤハーネス
２０１  第１のプラグコネクタ
２０２  第２のプラグコネクタ
２０３  ケーブル
２０４  第１の整線群
２０５  第２の整線群
３０１  第１の面
３０２  第２の面
３０３  第３の面
３０４  第４の面
【図１】
2018014674.tif 000003
【図２】
2018014674.tif 000004
【図３】
2018014674.tif 000005
【図４】
2018014674.tif 000006
【図５】
2018014674.tif 000007
【図６】
2018014674.tif 000008
【図７】
2018014674.tif 000009
【図８】
2018014674.tif 000010
【図９】
2018014674.tif 000011
【図１０】
2018014674.tif 000012